(57)【要約】【課題】原稿の斜行検知を簡単に精度良く行うことができる斜行検知手段を備えた画像形成装置及び斜行検知方法を提供する。【解決手段】原稿の斜行を検知する斜行検知手段を備えた画像形成装置において、斜行検知手段は、搬送方向に沿った直線状の画像であるテストパターンが印刷された斜行検知用原稿を搬送しながら該テストパターンを読み取って記録する際に、先の読取ライン上で読み取った画像データを、後の読取ライン上で読み取った画像データに順次重ね合わせて記録する。これにより、搬送される斜行検知用原稿に斜行がある場合は、テストパターンを読み取って記録した画像データが、原稿の斜行量に応じた幅寸法Ｄの底辺を備える三角形状の画像Ｓとして出力されるので、この出力された三角形状の画像Ｓの底辺の幅寸法Ｄを目視で測定することで、原稿の斜行量を知ることができる。【選択図】図７
2008048223.tif 000002
【特許請求の範囲】
【請求項１】
原稿の斜行を検知する斜行検知手段を備えた画像形成装置において、
前記斜行検知手段は、所定のテストパターンが印刷された斜行検知用原稿を搬送しながら前記テストパターンを読み取って記録する際に、先の読取ライン上で読み取った画像データを後の読取ライン上で読み取った画像データに順次重ね合わせて記録する斜行検知用記録手段を有していることを特徴とする斜行検知手段を備えた画像形成装置。
【請求項２】
請求項１に記載の斜行検知手段を備えた画像形成装置において、
前記斜行検知手段は、前記テストパターンとして、原稿にその搬送方向に沿った直線状の画像を印刷して出力する斜行検知用原稿出力手段を有することを特徴とする斜行検知手段を備えた画像形成装置。
【請求項３】
請求項２に記載の斜行検知手段を備えた画像形成装置において、
前記斜行検知用記録手段は、搬送される前記斜行検知用原稿に斜行がある場合に、前記直線状の画像を読み取って記録した画像データを、原稿の斜行量に応じた幅寸法の底辺を備える三角形状の画像として出力することを特徴とする斜行検知手段を備えた画像形成装置。
【請求項４】
原稿の斜行を検知する斜行検知方法において、
所定のテストパターンが印刷された斜行検知用原稿を搬送しながら読み取った画像データを記録する際に、先の読取ライン上で読み取った画像データを後の読取ライン上で読み取った画像データに順次重ね合わせて記録し、この記録した画像データの結果を出力することを特徴とする斜行検知方法。
【請求項５】
請求項４に記載の斜行検知方法において、
前記斜行検知用原稿に印刷されたテストパターンは、原稿の搬送方向に沿った直線状の画像であり、
搬送される前記斜行検知用原稿に斜行がある場合に、前記直線状の画像を読み取って記録した画像データを、原稿の斜行量に応じた幅寸法の底辺を備える三角形状の画像として出力することを特徴とする斜行検知方法。
【請求項６】
請求項５に記載の斜行検知方法において、
前記出力された三角形状の画像の底辺の幅寸法の計測値に基づいて、前記原稿の斜行量を算出することを特徴とする斜行検知方法。
【発明の詳細な説明】
【技術分野】
【０００１】
本発明は、原稿の斜行を検知する斜行検知手段を備えた画像形成装置及び斜行検知方法に関するものである。
【背景技術】
【０００２】
コピー機やファクシミリ装置やプリンタなどの画像形成装置においては、原稿を搬送する自動原稿搬送装置（ＡＤＦ装置）と、このＡＤＦ装置で搬送される原稿の画像を読み取る読取装置とを備えたものがある。この種の画像形成装置では、原稿トレイ上に載置された複数枚の原稿をＡＤＦ装置によって読取装置の読取位置へ１枚ずつ搬送し、この読取位置を搬送されて移動する原稿を、固定された読取手段で読み取るようになっている。
【０００３】
ところで、上記の画像形成装置では、ＡＤＦ装置による原稿の搬送の際に原稿の斜行が生じると、原稿の読み取りが正常に行なえないという問題がある。すなわちＡＤＦ装置では、原稿の両サイドに配置された搬送ローラの回転によって原稿が搬送されるが、両サイドの搬送ローラの搬送バランスにずれがあると、搬送される原稿に回転力が作用し、原稿が搬送方向に対して傾いて搬送されてしまう。これによって原稿の斜行が生じる。読取位置の手前で原稿が傾くと、読み取られた画像が傾いた画像になってしまう。また、読取位置での搬送バランスにズレがあると、原稿の搬送に伴って傾き量が増大し、読み取りの最初と最後で原稿の傾き量が異なるため、各読取ラインのデータを展開して得られる原稿の画像データに歪みが生じてしまう。そのため従来の画像形成装置では、特許文献１に示すように、原稿の斜行を補正するためのレジスト機構を備えたものがある。
【特許文献１】特開２００５−１６７７２４号公報
【発明の開示】
【発明が解決しようとする課題】
【０００４】
上記のようなレジスト機構を備えた画像形成装置で原稿の斜行補正を行なうには、搬送される原稿の斜行の有無及びその斜行量を検知する斜行検知手段を備えることが必要である。特に、画像形成装置の設置後のメンテナンスの際に、設置現場において原稿の斜行補正を行なうためには、原稿の斜行量を簡単に精度良く検知できる斜行検知手段が必要とされている。
【０００５】
本発明は上述の点に鑑みてなされたものでありその目的は、原稿の斜行検知を簡単に精度良く行うことができる斜行検知手段を備えた画像形成装置及び斜行検知方法を提供することにある。
【課題を解決するための手段】
【０００６】
上記課題を解決するため本願の請求項１に記載の発明は、原稿の斜行を検知する斜行検知手段を備えた画像形成装置において、前記斜行検知手段は、所定のテストパターンが印刷された斜行検知用原稿を搬送しながら前記テストパターンを読み取って記録する際に、先の読取ライン上で読み取った画像データを後の読取ライン上で読み取った画像データに順次重ね合わせて記録する斜行検知用記録手段を有していることを特徴とする。
【０００７】
本願の請求項２に記載の発明は、請求項１に記載の斜行検知手段を備えた画像形成装置において、前記斜行検知手段は、前記テストパターンとして、原稿にその搬送方向に沿った直線状の画像を印刷して出力する斜行検知用原稿出力手段を有することを特徴とする。
【０００８】
本願の請求項３に記載の発明は、請求項２に記載の斜行検知手段を備えた画像形成装置において、前記斜行検知用記録手段は、搬送される前記斜行検知用原稿に斜行がある場合に、前記直線状の画像を読み取って記録した画像データを、原稿の斜行量に応じた幅寸法の底辺を備える三角形状の画像として出力することを特徴とする。
【０００９】
本願の請求項４に記載の発明は、原稿の斜行を検知する斜行検知方法において、所定のテストパターンが印刷された斜行検知用原稿を搬送しながら読み取った画像データを記録する際に、先の読取ライン上で読み取った画像データを後の読取ライン上で読み取った画像データに順次重ね合わせて記録し、この記録した画像データの結果を出力することを特徴とする。
【００１０】
本願の請求項５に記載の発明は、請求項４に記載の斜行検知方法において、前記斜行検知用原稿に印刷されたテストパターンは、原稿の搬送方向に沿った直線状の画像であり、搬送される前記斜行検知用原稿に斜行がある場合に、前記直線状の画像を読み取って記録した画像データを、原稿の斜行量に応じた幅寸法の底辺を備える三角形状の画像として出力することを特徴とする。
【００１１】
本願の請求項６に記載の発明は、請求項５に記載の斜行検知方法において、前記出力された三角形状の画像の底辺の幅寸法の計測値に基づいて、前記原稿の斜行量を算出することを特徴とする。
【発明の効果】
【００１２】
本願の請求項１に記載の発明によれば、斜行検知手段は、所定のテストパターンが印刷された斜行検知用原稿を搬送しながらテストパターンを読み取って記録する際に、先の読取ライン上で読み取った画像データを後の読取ライン上で読み取った画像データに順次重ね合わせて記録する斜行検知用記録手段を有しているので、搬送される斜行検知用原稿に斜行がある場合、記録された画像が元のテストパターンの画像と異なる形状になるため、原稿の斜行検知を簡単に行うことができる。また、記録された画像データを参照することで原稿の斜行の有無及び斜行量を確認できるので、画像形成装置の設置現場におけるメンテナンスの際に斜行補正が簡単に行なえるようになる。
【００１３】
本願の請求項２に記載の発明によれば、斜行検知手段は、テストパターンとして原稿にその搬送方向に沿った直線状の画像を印刷して出力する斜行検知用原稿出力手段を有するので、画像形成装置の設置現場において、テストパターンが印刷された斜行検知用原稿を用意することができ、画像形成装置のメンテナンスの際の斜行補正が簡単に行なえるようになる。
【００１４】
本願の請求項３に記載の発明によれば、斜行検知用記録手段は、搬送される斜行検知用原稿に斜行がある場合に、直線状の画像を読み取って記録した画像データを、原稿の斜行量に応じた幅寸法の底辺を備える三角形状の画像として出力するので、斜行検知用記録手段で記録された画像の形状を目視で確認することによって、原稿の斜行の有無や斜行量の測定が簡単に行えるようになる。
【００１５】
本願の請求項４に記載の発明によれば、原稿の斜行を検知する斜行検知方法において、所定のテストパターンが印刷された斜行検知用原稿を搬送しながら読み取った画像データを記録する際に、先の読取ライン上で読み取った画像データを後の読取ライン上で読み取った画像データに順次重ね合わせて記録し、この記録した画像データの結果を出力するので、搬送される斜行検知用原稿に斜行がある場合は、記録された画像が元のテストパターンの画像と異なる形状になるため、原稿の斜行検知を簡単に行うことができる。また、記録された画像データを参照することで原稿の斜行の有無及び斜行量を確認できるので、画像形成装置などの設置現場におけるメンテナンスの際に斜行補正が簡単に行なえるようになる。
【００１６】
本願の請求項５に記載の発明によれば、斜行検知用原稿に印刷されたテストパターンは、原稿の搬送方向に沿った直線状の画像であり、搬送される斜行検知用原稿に斜行がある場合に、直線状の画像を読み取って記録した画像データを、原稿の斜行量に応じた幅寸法の底辺を備える三角形状の画像として出力するので、記録された画像データの出力を目視で確認することによって、原稿の斜行の有無及び斜行量の測定が簡単に行える斜行検知方法となる。
【００１７】
本願の請求項６に記載の発明によれば、出力された三角形状の画像の底辺の幅寸法の計測値に基づいて原稿の斜行量を算出するので、原稿の斜行量の算出が簡単に精度良く行える斜行検知方法となる。
【発明を実施するための最良の形態】
【００１８】
以下、本発明の実施形態を図面に基づいて詳細に説明する。図１は、本発明の一実施形態にかかる斜行検知手段を備えた画像形成装置を示す斜視図である。まず、同図を用いて画像形成装置の概略全体構成について説明する。本発明を適用する画像形成装置としては、斜行検知手段を備えた画像形成装置であれば、コピー機やファクシミリ装置やプリンタあるいはこれらの機能を兼ね備えたいわゆる複合機のうちのいずれであっても良い。同図に示す画像形成装置１は、下段側に設置された記録部２と、上段側に設置された読取部３とを備えている。記録部２には、記録装置４と給紙カセット５及び記録紙排出トレイ６が内装され、給紙カセット５内に収容されている用紙を記録装置４へ給紙し、該記録装置４で用紙への記録を行った後、用紙を記録紙排出トレイ６へ排出するように構成されている。
【００１９】
一方、読取部３は、原稿の画像を読み取る読取装置７と、該読取装置７の前面側に取り付けられた操作パネル８と、読取装置７の上部にその一辺が図示しないヒンジ機構で開閉可能に取り付けられた原稿押えカバー９とを備えている。原稿押えカバー９の一端部には、読取装置７へ原稿を搬送する自動原稿搬送装置（ＡＤＦ装置）１０が設置されている。
【００２０】
図２は、読取装置７とＡＤＦ装置１０の詳細構成を示す側断面図である。同図に示すように、読取装置７のコンタクトガラス１８とプラテンガラス１９の下面側には読取ユニット１１が設置されている。この読取ユニット１１は、画像読取位置の原稿へ光を照射する光源１２と、原稿からの反射光Ｒを所定の方向へ導く反射ミラー１３が搭載されたキャリッジ１７と、反射光Ｒを収束する集光レンズ１４と、該収束光を電気信号に変換して出力する電荷結合素子（Charge Coupled Device，以下「ＣＣＤ」という）１５を備えたいわゆる縮小光学系のＣＣＤ読取ユニットで、原稿からの反射光ＲをＣＣＤ１５へ導いて結像するようになっている。ＣＣＤ１５は、光源１２からの光で照明された原稿の一読取ライン上の画像を読み取り、所定間隔をおいて次の読取ライン上の画像を順次に読み取るように構成されている。
【００２１】
一方、ＡＤＦ装置１０は、原稿搬送路２２と、原稿搬送路２２の入口２２ａに取り付けられた複数枚の原稿用紙を積載する原稿供給トレイ２１と、原稿搬送路２２の出口２２ｂの下部に設置された搬送後の原稿用紙を積載保持する原稿排出トレイ２３を備えている。原稿搬送路２２は、その入口２２ａから奥へ向かう上側搬送路２２−１と、上側搬送路２２−１の最奥部から横向き略Ｕ字状に形成された折返搬送路２２−２と、折返搬送路２２−２の下端から出口２２ｂに連通する下側搬送路２２−３とを備えている。また、折返搬送路２２−２の内側には搬送ローラ２８が設置され、該搬送ローラ２８の外周面に対向する位置にはレジスト用プレスローラ２９と排出用プレスローラ３０が設置されている。また、原稿搬送路２２の入口２２ａには、原稿用紙を繰り込むピックアップローラ２４や複数枚の原稿用紙を分離するセパレートローラ２５が設置され、原稿搬送路２２の出口２２ｂには、原稿用紙を排紙する排紙ローラ２６とプレスローラ２７が設置されている。
【００２２】
上記の読取装置７で、フラットベッドスキャナ（ＦＢＳ）として原稿画像の読み取りを行う場合は、原稿押えカバー９を閉じてプラテンガラス１９上に載置した原稿を固定する。その状態で反射ミラー１３を取り付けている各キャリッジ１７を走査して原稿画像の読み取りを行なう。一方、ＡＤＦ装置１０を用いて原稿画像の読み取りを行う場合は、原稿供給トレイ２１からピックアップローラ２４で原稿搬送路２２へ繰り込まれた原稿が、原稿搬送路２２に沿って上方から下方へＵターンするように反転して、搬送ローラ２８の下端側に配置された画像読取位置Ｐ１に至り、画像読取位置Ｐ１を通過する際に、コンタクトガラス１８の下側に反射ミラー１３が位置合わせされている読取ユニット１１で原稿の画像が読み取られる。その後、原稿用紙が原稿排出トレイ２３へ排出される。
【００２３】
次に、図３はこの画像形成装置１が備える回路構成を示すブロック図である。画像形成装置１は、主制御部としてのＣＰＵ（中央処理装置）３１と、ＮＣＵ（網制御回路： Network Control Unit）３２と、モデム３３と、ＲＯＭ３４と、ＲＡＭ３５と、画像メモリ３６と、表示部３７と、操作部３８と、画像読取部３９と、画像記録部４０と、ＣＯＤＥＣ（符号化・復号器：Coder and Decoder）４１とを備え、これら各部がバス４２を介して接続されている。
【００２４】
ＣＰＵ３１は、ＲＯＭ３４に記憶されたプログラムに従い、画像形成装置１の各部を統括制御する。ＮＣＵ３２は、ＣＰＵ３１により制御されて、通信回線である公衆電話回線網（ＰＳＴＮ）４３との接続を制御するとともに、通信相手先の電話番号（ＦＡＸ番号を含む）に応じたダイヤルパルスを送出する機能、及び着信を検出する機能を有する。
【００２５】
モデム３３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、モデム３３は、ＮＣＵ３２を介して公衆電話回線網４３に送出するために、デジタル信号である送信データをアナログの音声信号に変調する機能や、公衆電話回線網４３からＮＣＵ３２を介して受信したアナログの音声信号をデジタル信号に復調する機能を有する。
【００２６】
ＲＯＭ３４は、画像形成装置１の全体の動作を制御するためのプログラム等を記憶する。ＲＡＭ３５は、ＣＰＵ３１による制御に必要なデータ及び制御動作時に一時記憶が必要なデータ等を記憶する。画像メモリ３６は、画像読取部３９で読み取った画像データを符号化し、圧縮状態で記憶する。この画像メモリ３６は、符号化圧縮データを記憶する記憶エリアと、この記憶エリアに記憶された画像データを復号して得たイメージデータを記憶する記憶エリアとを有する。
【００２７】
表示部３７は、具体的には操作パネル８上に設けたＬＣＤ（液晶表示装置）であり、データの送受信に必要なメッセージ内容や操作部３８で入力された電話番号やＦＡＸ番号などの情報が表示される。操作部３８は、具体的には操作パネル８上の各種操作キーであり、テンキー、ワンタッチキー、短縮キー、登録キー、スタートキー、ストップキーなどの各種操作キーのほか、画像形成装置１の動作モードを下記する斜行検知モードに切り替えるモード切替キーなどを有する。なお各種操作キーは、ＬＣＤに設けたタッチパネル式の操作キーでもよい。
【００２８】
画像読取部３９は、読取手段としてのＣＣＤ１５と、ＡＦＥ（アナログフロントエンド）回路４４と、Ａ／Ｄ変換部４５と、画像処理回路４６を備えている。ＡＦＥ回路４４は、ＣＣＤ１５の出力をアナログ増幅する。Ａ／Ｄ変換部４５は、ＡＦＥ回路４４のアナログ出力をデジタル信号に変換する。画像処理回路４６は、入力されたデジタル画像信号に対して所定の画像処理を実行する。
【００２９】
画像記録部４０は、具体的には記録装置４などで構成され、受信した画像データや画像読取部３９で読み取った原稿の画像データを記録紙上に記録する。ＣＯＤＥＣ４１は、読み取った画像データを送信又は記憶するために、ＭＨ、ＭＲ、ＭＭＲ方式等により符号化（エンコード）する。またＣＯＤＥＣ４１は、圧縮符号化された状態で受信した画像データを、画像記録部４０で記録するために復号（デコード）する。
【００３０】
この画像形成装置１では、下記する斜行検知用原稿５０に印刷するためのテストパターンＴのデータが記録されているＲＯＭ３４と、テストパターンＴの印刷を行なう画像記録部４０とで、斜行検知用原稿出力手段が構成されている。また画像読取部３９は、下記する斜行検知モードで、斜行検知用原稿５０を搬送しながらテストパターンＴの画像を読み取って記録する際に、先の読取ラインＬ上で読み取った画像データを後の読取ラインＬ上で読み取った画像データに順次重ね合わせて記録する斜行検知用記録手段として機能するようになっている。
【００３１】
次に、この画像形成装置１で原稿の斜行検知を行う手順を、図４に示すフローチャートを用いて説明する。まず、操作者が操作パネル８に設けた図示しない斜行検知モードキーを押すことで、斜行検知モードに切り替わる（ステップＳＴ１）。この斜行検知モードでは、記録装置４において、図５に示すような直線形状の画像からなるテストパターンＴが印刷された斜行検知用原稿５０が出力される（ステップＳＴ２）。なお、テストパターンＴの画像データは、あらかじめＲＯＭ３４に内蔵しておけば、画像形成装置１の設置現場におけるメンテナンスの際などに、テストパターンＴの印刷が簡単に行なえて便利である。
【００３２】
次に、このテストパターンＴが印刷された斜行検知用原稿５０が、操作者によってＡＤＦ装置１０の原稿供給トレイ２１にセットされる（ステップＳＴ３）。その際、テストパターンＴの直線方向が、斜行検知用原稿５０の搬送方向と一致するようにセットされる。次にＡＤＦ装置１０を動作させて、セットされた斜行検知用原稿５０を原稿搬送路２２へ搬送し、読取位置Ｐ１でその画像を読み取る（ステップＳＴ４）。ここで、ＡＤＦ装置１０で原稿を搬送しながら画像を読み取るには、図示しないステップモータの駆動によって、搬送ローラ２８を一読取ライン分ずつ回転させて原稿を搬送しながら読み取りを行う。すなわち、搬送ローラ２８を図５に示す一読取ラインＬ分だけ回転させて原稿を搬送したら、ＣＣＤ１５で読取ラインＬ上の画像データを読み取り、この読み取った画像データを画像メモリ３６に格納する。続いて、ステップモータの駆動によって搬送ローラ２８をさらに一読取ラインＬ分だけ回転させて原稿を送る。そして、再度ＣＣＤ１５で読取ラインＬ上の原稿の画像データを読み取り、読み取った画像データを画像メモリ３６に格納する。これを繰り返すことで、原稿全体の画像データを順次に読み取って画像メモリ３６に格納する。
【００３３】
さらにこの斜行検知モードでは、上記手順で斜行検知用原稿５０の画像を読み取った画像データを画像処理回路４６で処理する際に、先の読取ラインＬで読み取った画像データを、後の読取ラインＬで読み取った画像データの上に順次重ね書きして記録する。具体的には、読み取った画像データを白又は黒の二値化（０又は１）で認識し、先の読取ラインＬで黒として読み取った部分のデータを後の読取ラインＬにそのまま加算していくようにする。
【００３４】
こうすると、図５（ａ）に示すように搬送される斜行検知用原稿５０に斜行がない場合は、元の斜行検知用原稿５０のテストパターンＴと同形状の一本の直線からなる画像データが得られるが、図５（ｂ）に示すように搬送される斜行検知用原稿５０に斜行があると、図６に示すような、斜行検知用原稿５０の搬送下流側に、原稿の斜行量に応じた所定の幅寸法の底辺を備える三角形状の画像データＳが得られることになる。
【００３５】
この得られた画像データＳを、図７に示すように記録紙上に印刷して出力する（ステップＳＴ５）。操作者は、この印刷された三角形状の画像データＳを目視で確認する（ステップＳＴ６）。すなわち、三角形の底辺の幅寸法Ｄを測定することで原稿の斜行量を算出する。この斜行量の算出は、幅寸法Ｄと原稿の斜行量との換算表を用意しておき、当該換算表の値に基づいて原稿の斜行量を求めるようにする。あるいは、記録紙に印刷された三角形状の画像データＳの底辺の幅寸法Ｄを目視で測定し、原稿の斜行量を概算で求めるようにしてもよい。
【００３６】
出力された画像データＳの形状の測定によって原稿の斜行の有無及び斜行量を確認した結果（ステップＳＴ７）、原稿の斜行がある場合は、操作者は、ＡＤＦ装置１０の搬送ローラ２８に圧接されているレジスト用プレスローラ２９の回転軸の位置の微調整などにより、レジスト用プレスローラ２９の接触圧力や回転速度を調節する斜行調整を行う（ステップＳＴ８）。斜行調整が終わったら、再度ステップＳＴ３の手順から実行することで、斜行検知を行う。以降、出力した画像データＳの形状が、斜行検知用原稿５０のテストパターンＴと同じ直線状になるまで、レジスト用プレスローラ２９の微調整による斜行調整を繰り返すことで、原稿の斜行を矯正する。
【００３７】
以上説明したように、本発明の斜行検知手段を備えた画像形成装置１によれば、ＡＤＦ装置１０で搬送される原稿の斜行検知を簡単に精度良く行うことができる。また、出力された画像データＳを参照することで原稿の斜行の有無及び斜行量を確認でき、特別な斜行測定用の器具が無くても斜行検知が行えるので、画像形成装置１の設置現場におけるメンテナンスの際に、斜行補正が簡単に行なえるようになる。
【００３８】
またこの斜行検知手段は、テストパターンＴとして直線状の画像を印刷して出力する斜行検知用原稿出力手段を有するので、画像形成装置１の設置現場でテストパターンＴが印刷された斜行検知用原稿を簡単に用意でき、画像形成装置１のメンテナンスの際の斜行補正が簡単に行なえる。また、搬送される斜行検知用原稿５０に斜行がある場合に、直線状の画像Ｔを読み取って記録した画像データを、三角形状の画像データＳとして出力する斜行検知用記録手段を有するので、出力された画像データの形状を確認するだけで、原稿の斜行の有無の確認や斜行量の算出が簡単に行える。
【００３９】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、画像形成装置１が備えるＡＤＦ装置１０や読取装置７の具体的な構成は、上記実施形態に示すものには限定されない。また、画像形成装置１が備える回路構成も上記実施形態に示すものには限定されない。
【図面の簡単な説明】
【００４０】
【図１】本発明の一実施形態にかかる斜行検知手段を備えた画像形成装置の全体構成例を示す斜視図である。
【図２】自動原稿搬送装置と読取装置の構成例を示す側断面図である。
【図３】画像形成装置が備える回路構成例を示すブロック図である。
【図４】斜行検知の手順を示すフローチャートである。
【図５】テストパターンが印刷された斜行検知用原稿の読取手順を説明するための図である。
【図６】斜行検知モードにおける画像データの記録手順を説明するための図である。
【図７】記録紙に印刷された画像データを示す図である。
【符号の説明】
【００４１】
１    画像形成装置
２    記録部
３    読取部
４    記録装置
５    給紙カセット
６    記録紙排出トレイ
７    読取装置
８    操作パネル
９    原稿押えカバー
１０  自動原稿搬送装置（ＡＤＦ装置）
１１  読取ユニット
１２  光源
１３  反射ミラー
１４  集光レンズ
１５  ＣＣＤ
１７  キャリッジ
１８  コンタクトガラス
１９  プラテンガラス
２１  原稿供給トレイ
２２  原稿搬送路
２３  原稿排出トレイ
２４  ピックアップローラ
２５  セパレートローラ
２６  排紙ローラ
２７  プレスローラ
２８  搬送ローラ
２９  レジスト用プレスローラ
３０  排出用プレスローラ
３１  ＣＰＵ（中央処理装置）
３２  ＮＣＵ（網制御回路）
３３  モデム
３４  ＲＯＭ
３５  ＲＡＭ
３６  画像メモリ
３７  表示部
３８  操作部
３９  画像読取部
４０  画像記録部
４１  ＣＯＤＥＣ
４２  バス
４３  公衆電話回線網
４４  ＡＦＥ回路
４５  Ａ／Ｄ変換部
４６  画像処理回路
５０  斜行検知用原稿
【図１】
2008048223.tif 000003
【図２】
2008048223.tif 000004
【図３】
2008048223.tif 000005
【図４】
2008048223.tif 000006
【図５】
2008048223.tif 000007
【図６】
2008048223.tif 000008
【図７】
2008048223.tif 000009